(57)【要約】【課題】記憶媒体への書き込み禁止を確実に行うことが可能な記憶媒体制御装置を提供する。【解決手段】記録媒体制御装置１０は、記録媒体３０への書き込み及び読み出しの許可／禁止を設定可能であり、所定のアクティブレベルとなった場合に前記記録媒体への書き込みを可能とする書き込み制御線ＷＲに設けられたスイッチ１２と、所定のアクティブレベルとなった場合に記録媒体３０からの読み出しを可能とする読み出し制御線ＲＤに設けられたスイッチ１４と、キー１８により操作されるキー操作部１６とを備え、キー操作部１６の操作に連動してスイッチ１２，１４が開閉される。【選択図】      図２
2005115807.tif 000002
【特許請求の範囲】
【請求項１】
記録媒体への書き込みの許可／禁止を設定可能な記録媒体制御装置であって、
所定のアクティブレベルとなった場合に前記記録媒体への書き込みを可能とする書き込み制御線を開閉するスイッチ手段と、
前記記録媒体への書き込みの許可／禁止を設定する操作を行うための操作手段と、を備え、
前記スイッチ手段は、前記操作手段で行われた操作に連動して前記書き込み制御線を開閉することを特徴とする記録媒体制御装置。
【請求項２】
請求項１記載の記録媒体制御装置において、
所定のアクティブレベルとなった場合に前記記録媒体からの読み出しを可能とする読み出し制御線を開閉するスイッチ手段を更に備え、
前記操作手段は、書き込みの許可／禁止と読み出しの許可／禁止との組み合わせに対応した複数の操作位置に操作可能であり、
前記書き込み制御線及び前記読み出し制御線に設けられたスイッチ手段は、前記操作手段の操作位置に対応した書き込みの許可／禁止及び読み出しの許可／禁止に連動して、夫々、前記書き込み制御線及び前記読み出し制御線を開閉することを特徴とする記録媒体制御装置。
【請求項３】
記録媒体への書き込みの許可／禁止を設定する記録媒体の制御方法であって、
所定のアクティブレベルとなった場合に前記記録媒体への書き込みを可能とする書き込み制御線を開閉するスイッチ手段を設け、
前記記録媒体への書き込みの許可／禁止を設定する操作を行うための操作手段を設け、
前記スイッチ手段により、前記操作手段で行われた操作に連動して前記書き込み制御線を開閉させることを特徴とする記録媒体制御方法。
【発明の詳細な説明】
【技術分野】
【０００１】
本発明は、記憶媒体への書き込みの許可／禁止を行うことが可能な記録媒体制御装置及び記録媒体制御方法に関する。
【背景技術】
【０００２】
従来、ネットワークに接続されたサーバーコンピュータにおいて、ハッカーからの攻撃に対するセキュリティ対策は、セキュリティソフトウェアの導入や、オペレーティングシステムのメンテナンスなど、ソフトウェアにより行うのが一般的である。しかしながら、このようなソフトウェアによる対策では、未知のセキュリティホールの存在や、巧妙に作られたウイルスによってサーバーコンピュータ上のデータが不正に改ざんされるのを完全に防ぐことが難しいことは周知の通りである。
【０００３】
ところで、特許文献１には、磁気記録媒体に対する書き込みを選択的に禁止可能な磁気記録装置が開示されている。この磁気記録装置は、ハードディスクドライブユニットである記録媒体と、制御部と、プロテクトスイッチを備えている。プロテクトスイッチは、記録媒体への書き込み禁止を示すポジションと、書き込み許可を表すポジションとを有する２位置のスイッチである。制御部は磁気記録媒体への書き込み命令が入力された場合に、このプロテクトスイッチのポジションを検出し、書き込み禁止ポジションにある場合には、記録媒体に対する磁気信号の書き込み制御を行わないように動作する。これにより、磁気記録媒体に対する書き込みを選択的に禁止することが可能となっている。
【特許文献１】特開平５−２８１９号公報
【発明の開示】
【発明が解決しようとする課題】
【０００４】
このような磁気記録装置をネットワークに接続されたサーバーコンピュータへ適用することで、上述のようなサーバーコンピュータへのハッカー等の攻撃によるデータの改ざんを防止することが考えられる。
【０００５】
しかしながら、上述のように、特許文献１に開示される磁気記録装置では、制御部がプロテクトスイッチのポジションを検知し、その検知結果に基づいて、磁気記録媒体に対する書き込み制御を行っている。このため、ハッカーが磁気記録装置の制御部への攻撃を仕掛けて、この制御部を誤作動させることに成功すると、プロテクトスイッチが書き込み禁止ポジションにあるにもかかわらず磁気記録装置への書き込みが許可されてしまうことが起こり得る。その場合、ハッカーは記録装置の記録内容を改ざんすることが可能となってしまう。このように、特許文献１に記載された磁気記録装置は、記録媒体へのデータの書き込みを禁止する動作の確実性の点で改良の余地があった。
【０００６】
本発明は上記の点に鑑みてなされたものであり、記憶媒体への書き込み禁止を確実に行うことが可能な記憶媒体制御装置及び記憶媒体制御方法を提供することを目的とする。
【課題を解決するための手段】
【０００７】
上記の目的を達成するため、請求項１に記載された発明は、記録媒体への書き込みの許可／禁止を設定可能な記録媒体制御装置であって、
所定のアクティブレベルとなった場合に前記記録媒体への書き込みを可能とする書き込み制御線を開閉するスイッチ手段と、
前記記録媒体への書き込みの許可／禁止を設定する操作を行うための操作手段と、を備え、
前記スイッチ手段は、前記操作手段で行われた操作に連動して前記書き込み制御線を開閉することを特徴とする。
【０００８】
本発明によれば、記録媒体への書き込み制御線にスイッチ手段を設けることで、この書き込み制御線を物理的に遮断できる。このため、操作手段への書き込み禁止操作により、記憶媒体への書き込みを確実に禁止することができる。
【０００９】
また、請求項２に記載された発明は、請求項１記載の記録媒体制御装置において、
所定のアクティブレベルとなった場合に前記記録媒体からの読み出しを可能とする読み出し制御線を開閉するスイッチ手段を更に備え、
前記操作手段は、書き込みの許可／禁止と読み出しの許可／禁止との組み合わせに対応した複数の操作位置に操作可能であり、
前記書き込み制御線に設けられたスイッチ手段及び前記読み出し制御線に設けられたスイッチ手段は、前記操作手段の操作位置に対応した書き込みの許可／禁止及び読み出しの許可／禁止に連動して、夫々、前記書き込み制御線及び前記読み出し制御線を開閉することを特徴とする。
【００１０】
このようにすれば、書き込みの許可／禁止のみならず、読み込みの許可／禁止を設定することができる。
【００１１】
また、請求項３に記載された発明は、記録媒体への書き込みの許可／禁止を設定する記録媒体の制御方法であって、
所定のアクティブレベルとなった場合に前記記録媒体への書き込みを可能とする書き込み制御線を開閉するスイッチ手段を設け、
前記記録媒体への書き込みの許可／禁止を設定する操作を行うための操作手段を設け、
前記スイッチ手段により、前記操作手段で行われた操作に連動して前記書き込み制御線を開閉させることを特徴とする。
【発明の効果】
【００１２】
本発明によれば、記録媒体への書き込み制御線にスイッチ手段を設けて、書き込み制御線を物理的に遮断できるようにすることにより、記憶媒体への書き込みを確実に禁止することが可能となる。
【発明を実施するための最良の形態】
【００１３】
図１は、本発明の一実施形態である記録媒体制御装置１０を含んだシステムの全体構成図である。同図に示す如く、記録媒体制御装置１０は、サーバーコンピュータ２０と、磁気ディスク装置などの記録媒体３０との間に接続されている。サーバーコンピュータ２０は、インターネット４０に接続されており、アクセスしてきたユーザコンピュータ５０に対してＷＥＢサーバーとして機能する。すなわち、記録媒体３０にはＷＥＢページ用の各種データが格納されており、サーバーコンピュータ２０は、ユーザコンピュータ５０からアクセスがあると、記録媒体３０から読み出したデータに基づいてＷＥＢページ画面を生成し、ユーザコンピュータ５０へ送信する。また、サーバーコンピュータ２０には端末コンピュータ６０が接続されており、この端末コンピュータ６０からサーバーコンピュータ５０へ例えばＦＴＰでＷＥＢページ用のデータを転送して記録媒体３０へ書き込むことでＷＥＢページの内容を更新できるようになっている。
【００１４】
記録媒体制御装置１０は、以下に詳細に説明するように、サーバーコンピュータ２０から記録媒体３０への書き込みの許可／禁止を設定するものであり、ＷＥＢページの更新時以外は、書き込み禁止状態に設定することで、インターネット４０を経由したハッカーからの攻撃を受けても、記録媒体３０のデータを書き換えられることがないようになっている。特に、本発明の記録媒体制御装置１０では、記録媒体３０への書き込み制御線を遮断して書き込み禁止状態にすることにより、書き込みの禁止を確実に行えるようにしている。
【００１５】
図２は、記録媒体制御装置１０の詳細構成図である。同図に示すように、サーバーコンピュータ２０と記録媒体３０とは、書き込み制御線ＷＲ、読み出し制御線ＲＤ，データバスＤＡＴＡ等により接続されている。書き込み制御線ＷＲが所定のアクティブレベルの状態ではデータバスＤＡＴＡに出力されたデータが記録媒体３０に書き込まれ、読み出し制御線ＲＤが所定のアクティブレベルの状態では記録媒体３０から読み出されたデータがデータバスＤＡＴＡに出力される。
【００１６】
記録媒体制御装置１０は、書き込み制御線ＷＲ及び読み出し制御線ＲＤを夫々開閉するスイッチ１２，１４と、スイッチ１２，１４の開閉状態を切り替えるキー操作部１６（本発明の操作手段に対応）とを備えている。キー操作部１６は鍵穴１６ａを有しており、この鍵穴１６ａに、キー操作部１６に対応した特定のキー１８を差し込むことで、「遮断」，「読み出し」，「読み出し書き込み」の３位置の何れかに手動操作できるようになっている。このキー操作部１６の操作に連動手段１７を介してスイッチ１２，１４が連動し、各スイッチ１２，１４の開閉状態は以下のように切り替えられる。なお、連動手段１７は、キー操作部１６とスイッチ１２，１４とを機械的に連動させるものであってもよいし、あるいは、スイッチ１２，１４が例えばリレーで構成され、連動手段１７がキー操作部１６の操作位置に応じてリレーを電気的に作動させるようにしてもよく、キー操作部１６とスイッチ１２，１４との連動の仕組みは機械式、電気式を問わず任意である。
【００１７】
キー操作部１６が「遮断」位置に操作されると、スイッチ１２，１４は共に開状態とされる。この場合、書き込み制御線ＷＲ及び読み出し制御線ＲＤは共に遮断されるので、記録媒体３０の書き込みと読み出しが共に禁止された状態（以下、遮断モードという）となる。
【００１８】
キー操作部１６が「読み出し」位置に操作されると、スイッチ１２は開状態、スイッチ１４は閉状態とされ。この場合、書き込み制御線ＷＲが遮断され、読み出し制御線ＲＤは導通するので、記録媒体３０の書き込みが禁止され、読み出しのみが許可された状態（以下、読み出し許可モードという）となる。
【００１９】
キー操作部１６が「読み出し・書き込み」位置に操作されると、スイッチ１２，１４は共に閉状態とされる。この場合、書き込み制御線ＷＲ及び読み出し制御線ＲＤが共に導通するので、記録媒体３０の書き込みと読み出しが共に許可された状態（以下、書き込み・読み出し許可モードという）となる。
【００２０】
したがって、記録媒体３０の記録データを更新する場合には、キー操作部１６を「読み出し・書き込み」位置に操作して書き込み・読み出し許可モードとすることで、端末コンピュータ６０からデータを転送して記録媒体３０へデータを書き込むことができる。また、データ更新後は、キー操作部１６を「読み出し」位置に操作して読み出し許可モードとしておけば、記録媒体３０からのデータの読み出しのみが許可され、データの書き込みは禁止される。したがって、アクセスしてきたユーザコンピュータ５０に対してＷＥＢページ画面の送信を可能としつつ、ユーザコンピュータ５０からの不正なハッキング行為により記録媒体３０にデータが書き込まれるのを防止できる。
【００２１】
そして、本実施形態では、上記のようなモードの切り替えを、書き込み制御線ＷＲ及び読み出し制御線ＲＤをスイッチ１２，１４で物理的に導通／遮断させることにより行うので、書き込みを禁止した状態では、いかなるハッキング行為に対しても記録媒体３０へのデータ書き込みを確実に防止することができる。
【００２２】
また、本実施形態では、キー操作部１６に対応した特定のキー１８でなければキー操作部１６を操作することができない。このため、キー１８を所持する正当権限者しか記録媒体３０のモードの切り替えを行うことができないので、セキュリティを確保することができる。なお、上記の説明では、単一のキー１８でキー操作部１６を操作できるものとしたが、例えば、２つ以上のキー１８を差し込まなければキー操作部１６を操作できないようにして、正当権限者が２人以上揃わなければモード変更を行えないようにすることで、セキュリティ性を更に向上させることもできる。また、例えば、記録媒体制御装置１０を厳重に入退室管理された部屋に設けることで、セキュリティ性を一層高めることもできる。
【００２３】
なお、上記実施形態では、キー１８をキー操作部１６の鍵穴１６ａに差し込んで機械的にキー操作部１６を操作するものとしたが、これに限らず、赤外線や非接触ＩＤカードを用いてキー操作部を操作できるようにしてもよい。
【００２４】
また、上記実施形態では、例えば磁気ディスク装置である記録媒体３０への書き込み・読み出しの許可／禁止を制御する場合について説明したが、本発明はこれに限らず、ＳＤメモリーカード、メモリスティック、コンパクトフラッシュ、スマートメディアその他の半導体メモリや、ＣＤ−Ｒ、あるいは、ＤＶＤ−Ｒ、ＤＶＤ−ＲＡＭ等のＤＶＤ系の書き込み可能ディスク等の各種記録媒体に適用が可能である。すなわち、これらの記録媒体でも、上記実施形態における書き込み制御線ＷＲ及び読み出し制御線ＲＤに相当する制御線が設けられるので、それらの制御線にスイッチを設けて物理的に導通／遮断することで、上記実施形態と同様の効果が得られるのである。
【００２５】
更に、上記実施形態では、ＷＥＢサーバーであるサーバーコンピュータ２０から記録媒体３０への書き込み・読み出しを許可／禁止するものとしたが、本発明はこれに限らず、パーソナルコンピュータやＰＤＡといった事務用・個人用・家庭用など一般用途のコンピュータにおける記録媒体の制御にも適用が可能である。すなわち、これら一般用途においても、他人が記録媒体に書き込むのを禁止したり、記録媒体からデータを読み出すのを禁止したい場合があるが、そのような場合に本発明を適用することで、記録媒体への書き込みや読み出しの禁止を確実に行うことが可能となる。
【００２６】
また、上記実施形態では、書き込み禁止・読み出し禁止に対応した遮断モード、書き込み禁止・読み出し許可に対応した読み出しモード、及び、書き込み許可・読み出し許可に対応した書き込み・読み出しモードの３つのモードを切り替えられるものとしたが、さらに、書き込み許可・読み出し禁止に対応した書き込みモードを実現できるようにしてもよい。この書き込みモードは、例えば、サーバーコンピュータ２０において記録媒体３０のデータを更新中に、ユーザコンピュータ５０からのアクセスを禁止する場合に利用することができる。
【００２７】
なお、本発明においては、上記実施形態のように書き込み及び読み出しの両方の許可／禁止を設定する場合に限らず、書き込み制御線ＷＲにのみスイッチを設けて書き込みの許可／禁止のみを設定できるようにする構成も可能であり、そのような構成も本発明の範囲に含まれる。
【図面の簡単な説明】
【００２８】
【図１】本発明の一実施形態である記録媒体制御装置を含んだシステムの全体構成図である。
【図２】本実施形態の記録媒体制御装置の詳細構成図である。
【符号の説明】
【００２９】
ＷＲ  書き込み制御線
ＲＤ  読み出し制御線
ＤＡＴＡ  データバス
１０  記録媒体制御装置
１２，１４  スイッチ
１６  キー操作部
１６ａ  鍵穴
１７  連動手段
１８  キー
２０  サーバーコンピュータ
３０  記録媒体
４０  インターネット
５０  ユーザコンピュータ
６０  端末コンピュータ
【図１】
2005115807.tif 000003
【図２】
2005115807.tif 000004